(57)【特許請求の範囲】
【請求項１】
車輪を駆動する電気モータと、上記電気モータに電力を供給するバッテリと、を有する車両に搭載され、上記バッテリから車両外に電力を供給するための車両用給電システムであって、
上記バッテリから供給される直流電流を交流電流に変換するインバータと、
上記インバータにより変換された交流電流の車両外への供給を制御する制御装置と、
上記インバータから出力された交流電流を出力する給電端子と、
を備え、
上記制御装置は、上記車両が走行不能状態である場合にのみ、上記給電端子からの給電を開始し、
上記制御装置は、上記給電端子から給電状態である場合において、上記車両の発進要求操作が実行されたときに、走行不能状態を維持し、
上記制御装置は、上記給電端子から給電状態である場合において、車両の発進要求操作が実行されたときに、給電状態である旨を報知する表示を行う
ことを特徴とする車両用給電システム。
【請求項２】
車輪を駆動する電気モータと、上記電気モータに電力を供給するバッテリと、を有する車両に搭載され、上記バッテリから車両外に電力を供給するための車両用給電システムであって、
上記バッテリから供給される直流電流を交流電流に変換するインバータと、
上記インバータにより変換された交流電流の車両外への供給を制御する制御装置と、
上記インバータから出力された交流電流を出力する給電端子と、
を備え、
上記制御装置は、上記車両が走行不能状態である場合にのみ、上記給電端子からの給電を開始し、
上記制御装置は、上記車両のイグニッションがＯＮ状態である場合、及び、シフトレンジのパーキング状態が解除されている場合の少なくとも一方の場合において、給電要求操作が実行されたときに、非給電状態を維持し、
上記制御装置は、上記車両の上記イグニッションがＯＮ状態である場合、及びシフトレンジのパーキング状態が解除されている場合の少なくとも一方の場合において、給電要求操作が実行されたときに、上記イグニッションがＯＮ状態である旨を報知する表示、及び上記シフトレンジのパーキング状態が解除されている旨を報知する表示の少なくとも一方を行う
ことを特徴とする車両用給電システム。
【請求項３】
車輪を駆動する電気モータと、上記電気モータに電力を供給するバッテリと、を有する車両に搭載され、上記バッテリから車両外に電力を供給するための車両用給電システムであって、
上記バッテリから供給される直流電流を交流電流に変換するインバータと、
上記インバータにより変換された交流電流の車両外への供給を制御する制御装置と、
上記インバータから出力された交流電流を出力する給電端子と、
を備え、
上記制御装置は、上記車両が走行不能状態である場合にのみ、上記給電端子からの給電を開始し、
上記制御装置は、上記バッテリへの充電状態である場合において、給電要求操作が実行されたときに、非給電状態を維持する
ことを特徴とする車両用給電システム。
【請求項４】
上記制御装置は、上記車両のイグニッションがＯＦＦ状態である場合、及び、シフトがパーキング状態に設定されている場合の一方又は双方の場合にのみ、上記給電端子からの給電を開始する
ことを特徴とする請求項１〜３の何れか一項に記載の車両用給電システム。
【請求項５】
上記制御装置は、上記車両が走行不能状態である場合に、上記車両用給電システム以外の車載機器への給電を許可する
ことを特徴とする請求項１〜４の何れか一項に記載の車両用給電システム。
【請求項６】
上記制御装置は、上記給電端子から給電を開始する前に、上記車両用給電システムの漏電の有無を確認する
ことを特徴とする請求項１〜５の何れか一項に記載の車両用給電システム。
【発明の詳細な説明】
【技術分野】
【０００１】
本発明は、車両用給電システムに係わり、より詳細には、電力供給設備等の外部設備を介することなく、車両のバッテリから家電製品等の車外機器に電力を直接供給可能な車両用給電システムに関する。
【背景技術】
【０００２】
従来より、電気自動車やハイブリッド自動車等、バッテリから電気モータに電力を供給し、この電気モータにより車輪を駆動する車両が知られている。
【０００３】
近年、これらの電気自動車やハイブリッド自動車に搭載された、バッテリから車両外に電力を供給するための車両用給電システムも提案されている。例えば、接続装置を介して車両と住宅内の電力線との間において電力を授受可能なように構成された電力システムが知られている（特許文献１）。
【０００４】
また、自然災害などによる停電時に、駐車スペースに設置された電力供給設備を介して電気自動車のバッテリから外部系統設備に電力を供給するものも知られている（特許文献２）。
【先行技術文献】
【特許文献】
【０００５】
【特許文献１】特開２００８−０５４４３９号公報
【特許文献２】特開２００７−２５２１１７号公報
【発明の概要】
【発明が解決しようとする課題】
【０００６】
車両のバッテリから電力供給設備等の外部設備を介して車両外へ給電する場合、給電を行う場所が限定されてしまう。外部設備を介さずに任意の場所で、車両のバッテリから家電製品を含む車外機器に電力を直接供給するためには、バッテリから供給される直流電流を商用電源電圧（例えば１００Ｖ）の交流電流に変換するインバータや、インバータにより変換された交流電流を、コンセントを介して出力するコントロールボックス等の電装品を車両に搭載する必要がある。
【０００７】
車両のバッテリから家電製品等の車外機器に給電する際には、通常、車両に接続ケーブルが接続される。給電中に車両が走行を開始すると、車両に接続された接続ケーブルが外れて車外機器が突然停止したり、車外機器が車両に引きずられたりするおそれがある。このため、安全な給電を行うことができる車両用給電システムの実現が望まれる。
【０００８】
そこで、本発明は、車外機器への給電中の車両の走行を防止し、安全な給電の実現を図ることができる車両用給電システムを提供することを目的としている。
【課題を解決するための手段】
【０００９】
上記の目的を達成するため、本発明の車両用給電システムは、車輪を駆動する電気モータと、上記電気モータに電力を供給するバッテリと、を有する車両に搭載され、上記バッテリから車両外に電力を供給するための車両用給電システムであって、上記バッテリから供給される直流電流を交流電流に変換するインバータと、上記インバータにより変換された交流電流の車両外への供給を制御する制御装置と、上記インバータから出力された交流電流を出力する給電端子とを備え、上記制御装置は、上記車両が走行不能状態である場合にのみ、上記給電端子からの給電を開始し、上記制御装置は、上記給電端子から給電状態である場合において、上記車両の発進要求操作が実行されたときに、走行不能状態を維持し、上記制御装置は、上記給電端子から給電状態である場合において、車両の発進要求操作が実行されたときに、給電状態である旨を報知する表示を行うことを特徴としている。
【００１０】
このように構成された本発明によれば、車両が走行不能状態である場合にのみ、給電端子からの給電が可能である。このため、車外機器への給電中の車両の走行が防止される。これにより、給電中に車両が走行を開始して、車両に接続された接続ケーブルが外れて車外機器が突然停止したり、車外機器が車両に引きずられたりすることを防止することができる。したがって、本発明によれば、車外機器への給電中の車両の走行を防止し、安全な給電の実現を図ることができる車両用給電システムを提供することを目的としている。
また、このように構成された本発明によれば、給電中の車両の走行開始を防止することができる。なお、給電状態には、給電端子から交流電流が出力されている場合だけでなく、給電端子に接続ケーブルのプラグなどの接続手段が接続されている場合を含んでもよい。また、発進要求操作は、例えば、イグニッションＯＮ操作でもよいし、シフトレンジのパーキング解除操作でもよい。
さらに、このように構成された本発明によれば、かかる表示によって、発進要求操作を行った者は、車両が走行できない理由を知ることができる。これにより、発進要求操作を行った者は、車両を走行させるために、給電を停止させる行動を容易にとることができる。
【００１１】
また、上記の目的を達成するため、本発明の車両用給電システムは、車輪を駆動する電気モータと、上記電気モータに電力を供給するバッテリと、を有する車両に搭載され、上記バッテリから車両外に電力を供給するための車両用給電システムであって、上記バッテリから供給される直流電流を交流電流に変換するインバータと、上記インバータにより変換された交流電流の車両外への供給を制御する制御装置と、上記インバータから出力された交流電流を出力する給電端子と、備え、上記制御装置は、上記車両が走行不能状態である場合にのみ、上記給電端子からの給電を開始し、上記制御装置は、上記車両のイグニッションがＯＮ状態である場合、及び、シフトレンジのパーキング状態が解除されている場合の少なくとも一方の場合において、給電要求操作が実行されたときに、非給電状態を維持し、上記制御装置は、上記車両の上記イグニッションがＯＮ状態である場合、及びシフトレンジのパーキング状態が解除されている場合の少なくとも一方の場合において、給電要求操作が実行されたときに、上記イグニッションがＯＮ状態である旨を報知する表示、及び上記シフトレンジのパーキング状態が解除されている旨を報知する表示の少なくとも一方を行うことを特徴としている。
このように構成された本発明によれば、車両が走行不能状態である場合にのみ、給電端子からの給電が可能である。このため、車外機器への給電中の車両の走行が防止される。これにより、給電中に車両が走行を開始して、車両に接続された接続ケーブルが外れて車外機器が突然停止したり、車外機器が車両に引きずられたりすることを防止することができる。したがって、本発明によれば、車外機器への給電中の車両の走行を防止し、安全な給電の実現を図ることができる車両用給電システムを提供することを目的としている。
上記車両のイグニッションがＯＮ状態である場合、また、シフトレンジのパーキング状態が解除されている場合には、車両が走行するおそれがある。かかる場合に非給電状態とすることにより、給電中に車両が走行することを防止することができる。
なお、給電要求操作は、例えば、制御装置の給電用のスイッチをＯＦＦからＯＮに切り替える操作でもよいし、給電端子に接続ケーブルを接続する操作でもよし、これらの両方の組合せでもよい。
かかる表示によって、給電要求操作を行った者は、給電できない理由を知ることができる。これにより、給電操作を行った者は、給電を行うために、上記車両の上記イグニッションをＯＮからＯＦＦに切り替えたり、シフトレンジのパーキングに設定したりする行動を容易にとることができる。
【００１２】
また、上記の目的を達成するために、本発明は、車輪を駆動する電気モータと、上記電気モータに電力を供給するバッテリと、を有する車両に搭載され、上記バッテリから車両外に電力を供給するための車両用給電システムであって、上記バッテリから供給される直流電流を交流電流に変換するインバータと、上記インバータにより変換された交流電流の車両外への供給を制御する制御装置と、上記インバータから出力された交流電流を出力する給電端子と、備え、上記制御装置は、上記車両が走行不能状態である場合にのみ、上記給電端子からの給電を開始し、上記制御装置は、上記バッテリへの充電状態である場合において、給電要求操作が実行されたときに、非給電状態を維持することを特徴とする。
【００１３】
このように構成された本発明によれば、車両が走行不能状態である場合にのみ、給電端子からの給電が可能である。このため、車外機器への給電中の車両の走行が防止される。これにより、給電中に車両が走行を開始して、車両に接続された接続ケーブルが外れて車外機器が突然停止したり、車外機器が車両に引きずられたりすることを防止することができる。したがって、本発明によれば、車外機器への給電中の車両の走行を防止し、安全な給電の実現を図ることができる車両用給電システムを提供することを目的としている。
また、充電中に給電を行うと、充電効率が低下してしまう。このため、充電中の給電を禁止することにより、充電効率の低下防止を図ることができる。
【００１４】
本発明において好ましくは、上記制御装置は、上記車両のイグニッションがＯＦＦ状態である場合、及び、シフトがパーキング状態に設定されている場合の一方又は双方の場合にのみ、上記給電端子からの給電を開始する。
【００１５】
車両のイグニッションがＯＦＦ状態である場合、又は、シフトがパーキング状態に設定されている場合を、給電可能条件とすれば、給電中の車両走行を防止することができる。さらに、車両のイグニッションがＯＦＦ状態であり、かつシフトがパーキング状態に設定されている場合を給電可能条件とすれば、給電中の車両の走行をより確実に防止することができる。
【００２１】
本発明において好ましくは、上記制御装置は、上記車両が走行不能状態である場合に、上記車両用給電システム以外の車載機器への給電を許可する。
【００２２】
これにより、車外機器への給電を行いながら、車内で車載機器を使用することができる。例えば、給電しながら、車内でラジオを聞いたり、エアコンを稼働させたりすることができる。
【００２３】
本発明において好ましくは、上記制御装置は、上記給電端子から給電を開始する前に、上記車両用給電システムの漏電の有無を確認する。
【００２４】
このように、給電開始前に漏電の有無を確認することにより、漏電による感電の発生を防止することができる。
【発明の効果】
【００２７】
本発明の車両用給電システムによれば、車外機器への給電中の車両の走行を防止し、安全な給電の実現を図ることができる。
【図面の簡単な説明】
【００２８】
【図１】本発明の実施形態による車両用給電システムを搭載する車両の全体構造を示す概略平面図である。
【図２】本発明の実施形態による車両用給電システムを搭載する車両の荷室フロアを示す平面図である。
【図３】本発明の実施形態による車両用給電システムのブロック図である。
【図４】本発明の実施形態による車両用給電システムの動作を説明するフローチャートである。
【発明を実施するための形態】
【００２９】
以下、添付の図面を参照して、本発明の駐車支援装置の実施形態を説明する。
まず、図１により、本発明の実施形態による車両用給電システムを搭載する車両について説明する。図１は、本発明の実施形態による車両用給電システムを搭載する車両の全体構造を示す概略平面図である。
【００３０】
図１に示すように、本発明の実施形態による車両用給電システムを搭載する車両１は、動力源としてモータユニットを搭載する電気自動車である。車両１の車体前部（車室の前方）にあるモータルーム２には、駆動輪４（図１の例では左右の前輪）を駆動するモータユニット６が搭載されている。更に、モータ用インバータ８、ジャンクションボックス１０、及び、バッテリチャージャ１２が、モータルーム２に配置されている。
【００３１】
また、車体の中央部から後部にかけて、車室フロアの下方に、平面視がほぼＴ字状となるように形成されたバッテリ搭載フレーム１４が設けられている。モータに電力を供給するバッテリ１６は、このバッテリ搭載フレーム１４上に搭載される。
【００３２】
また、車体の後部左側面には、充電レセプタクル１８が設けられている。この充電レセプタクル１８は、充電ケーブル２０を介してバッテリチャージャ１２に接続されている。充電ケーブル２０は、車室フロアの下面側において、バッテリ１６に沿って配索される。
【００３３】
更に、車両１の車体後部（車室の後方）に、荷室フロア２２が設けられている（図１において一部を図示する）。この荷室フロア２２の上面側に、凹部２４が形成されている。この凹部２４の中に、バッテリ１６から供給される直流電流を商用電源電圧（例えば１００Ｖ）の交流電流に変換するインバータ２６と、インバータ２６により変換された交流電流の車両外への供給を制御する制御装置であるコントロールボックス２８とが配置される。インバータ２６とジャンクションボックス１０とを接続する電力ケーブル３０は、充電ケーブル２０と共に、車室フロアの下面側において、バッテリ１６に沿って配索される。
【００３４】
さらに、図２を参照して、給電システムの電装品の配置の詳細を説明する。図２は、本発明の実施形態による車両用給電システムを搭載する車両の荷室フロアを示す平面図である。
【００３５】
図２は、荷室フロア２２の凹部２４に配置されたインバータ２６及びコントロールボックス２８を示す平面図である。この図２に示すように、荷室フロア２２の上面側には、ほぼ円形の平面形状を有する凹部２４が形成されている。この凹部２４としては、例えば、従来の車両の荷室フロア２２に設けられているスペアタイヤパンを流用することができる。そして、インバータ２６及びコントロールボックス２８は、凹部２４の底面２４ａ上に、車幅方向に並べて配置されている。
【００３６】
コントロールボックス２８の筐体としてのコントロールボックスケース２８ａ上面には、車外への電力供給のＯＮ／ＯＦＦを切り替えるための操作スイッチ２８ｂと、インバータから出力された交流電流を出力する給電端子であるコンセント２８ｃとが設けられている。
【００３７】
車内のコンセント２８ｃには、コンセント２８ｃと車外機器とを接続するための接続手段接続である接続ケーブル３４の一端のプラグが差し込まれる。コンセント２８ａは、商業電源用の規格のコンセントである。接続ケーブルは、商業電源用の規格品であり、例えば、市販のテーブルタップでもよいし、家電製品のプラグコードでもよい。インバータ２６から供給された交流電流は、このコンセント２８ｃから、変圧器、インバータ又は周波数変換器といった外部設備を介することなく、家電製品等の車外機器に電力を直接供給される。
【００３８】
次に、図３により、本発明の実施形態による車両用給電システムを搭載する車両の電気的構成を説明する。図３は、本発明の実施形態による車両用給電システムのブロック図である。
【００３９】
図３に示すように、ジャンクションボックス１０は、バッテリ１６、モータ用インバータ１０、及びインバータ２６に接続され、バッテリ１６からモータ用インバータ１０及びインバータ２６への直流電流の供給を切替える。
【００４０】
モータ用インバータ８は、ジャンクションボックス１０を介してバッテリ１６から供給される直流電流を交流電流に変換し、モータユニット６に供給する。このモータユニット６により発生される駆動力は、トランスアクスル等の動力伝達機構を介して駆動輪４に伝達される。
【００４１】
バッテリチャージャ１２は、充電レセプタクル１８から充電ケーブル２０を介して供給された電力により、バッテリ１６を充電する。即ち、充電スタンド等の外部電源から引き出された充電コードの先端に設けられた充電プラグを、充電レセプタクル１８に接続することにより、充電ケーブル２０及びバッテリチャージャ１２を介してバッテリ１６が充電される。
【００４２】
インバータ２６は、電力ケーブル３０を介してジャンクションボックス１０に接続されている。このインバータ２６は、バッテリ１６からジャンクションボックス１０及び電力ケーブル３０を介して供給される直流電流を、商用電源電圧（例えば１００Ｖ）の交流電流に変換し、出力ケーブル３２を介してコントロールボックス２８に出力する。
【００４３】
コントロールボックス２８は、出力ケーブル３２を介してインバータ２６に接続されており、インバータ２６により変換された交流電流の車両外への供給を制御する。
【００４４】
さらに、車両用給電システムは、車両１に搭載された各種システムを制御する車両制御モジュール（ＶＣＭ：Vehicle Control Module）６０によって制御される。車両制御モジュール６０には、イグニション（ＩＧ：ignition）６１から、イグニション６１の設定状態を示す信号が入力される。イグニション６１がシリンダタイプである場合、車両制御モジュール６０は、イグニション６１がＡＣＣ（アクセサリ：accessory）に設定されていときに、車両が走行不能状態であると判断してもよいし、イグニション６１がＩＧ（ＯＮ、スタート）に設定されているときに、車両が走行不能状態であると判断してもよい。また、イグニション６１がプッシュスタートタイプの場合には、車両制御モジュール６０は、スタートボタンが押下されてＯＮ状態であるときに、走行不能状態と判断するとよい。
【００４５】
また、車両制御モジュール６０には、シフトレンジ６２からレンジの設定状態を示す信号が入力される。車両制御モジュール６０は、シフトレバーがパーキング（Ｐ：parking）ポジションに設定されているときに、走行不能状態と判断してもよいし、又は、パーキングボタンが押下されたＯＮ状態であるときに、走行不能状態と判断してもよい。さらに、車両制御モジュール６０は、イグニション６１の設定がＯＮ状態であり、かつ、シフトレンジ６２がパーキングに設定されている場合にのみ、車両が走行不能状態であると判断してもよい。
【００４６】
また、車両制御モジュール６０には、絶縁抵抗モニタ６３から、給電システムとグランドとの間の絶縁抵抗値を示す信号が入力される。給電システムが接地漏電していると、絶縁抵抗値が低下する。車両制御モジュール６０は、絶縁抵抗値が所定値以下の場合に、漏電発生と判断するとよい。
【００４７】
また、車両制御モジュール６０は、表示装置６４に所望の情報を表示させる。表示装置６４は、車室内のインスツルメントパネルのメータ内に配置されてもよいし、コントロールボックス２８に配置されてもよい。
【００４８】
次に、図４のフローチャートを参照して、本発明の実施形態による車両用給電システムの動作例を説明する。
車両１のバッテリ１６から車外機器に給電を行おうとする使用者は、まず、コントロールボックス２８に設けた操作スイッチ２８ｂをＯＦＦからＯＮに切り替える操作を行う（Ｓ４０１）。なお、車両制御モジュール６０は、コントロールボックス２８のコンセント２８ｃに接続ケーブルのプラグが接続されたことの検出を以て、操作スイッチ２８ｂの操作に代えてもよい。コンセント２８ｃへのプラグの着脱は、コンセント２８ｃに着脱センサを設けることによって機械的に又は電気的に検出するとよい。
【００４９】
続いて、車両制御モジュール６０は、車両１が走行不能状態であるか否かを判断する（Ｓ４０２）。ここでは、車両制御モジュール６０は、車両制御モジュール６０は、イグニション６１の設定がＯＮ状態であり、かつ、シフトレンジ６２がパーキングに設定されている場合にのみ、車両１が走行不能状態であると判断する。すなわち、車両制御モジュール６０は、車両のイグニッション６１がＯＮ状態である場合、及び、シフトレンジ６２のパーキング状態が解除されている場合の少なくとも一方の場合に、走行可能状態であると判断して、給電要求操作が実行されても、非給電状態を維持する。
【００５０】
車両制御モジュール６０は、車両１が走行可能状態であると判断した場合（Ｓ４０２で
「ｎｏ」の場合）、表示装置６４に、給電できない理由として、イグニション６１の設定がＯＮ状態である旨、及び、シフトレンジ６２がパーキングに設定されている旨を表示させる。例えば、表示装置６４に、「ＩＧキーをＯＦＦにし、レンジをＰに設定してください」と表示させるとよい。かかる表示に基づいて、使用者は、給電を行うために必要な、表示された操作を行うことができる。
【００５１】
なお、車両制御モジュール６０は、イグニション６１の設定がＯＮ状態である場合に、車両１が走行可能状態であると判断してもよい。その場合、表示装置６４に、「ＩＧキーをＯＦＦにしてください」と表示するとよい。また、車両制御モジュール６０は、シフトレンジ６２がパーキングから解除されている場合に、車両１が走行可能状態であると判断してもよい。その場合、表示装置６４に、「レンジをＰに設定してください」と表示するとよい。
【００５２】
続いて、車両制御モジュール６０は、走行可能状態下で非給電状態を維持する。このように、車両制御モジュール２０は、車両が走行可能状態のときには、給電端子からの給電が行わない。このため、車外機器への給電中に、車両１が走行を開始することが防止される。これにより、給電中に車両１が走行を開始して、車両１に接続された接続ケーブルが外れて車外機器が突然停止したり、車外機器が車両１に引きずられたりすることを防止することができる。したがって、車外機器への給電中の車両１の走行を防止し、安全な給電の実現を図ることができる。
【００５３】
一方、イグニション６１の設定がＯＦＦ状態であり、かつ、シフトレンジ６２がパーキングに設定されている場合（Ｓ４０２で「ｙｅｓ」の場合）、車両制御モジュール６０は、車両１が充電中であるか否かを判断する（Ｓ４０３）。受電中であるか否かは、バッテリチャージャ１２から車両制御モジュール６０に入力される信号によって判断してもよいし、充電レセプタクル１８に、充電コンセントが接続されたことを以て充電と判断してもよい。充電レセプタクル１８への充電コンセントの着脱状態は、充電レセプタクル１８に着脱センサを設けて機械的に又は電気的に検出するとよい。なお、充電には、急速充電の場合と普通充電の場合の両方が含まれる。
【００５４】
車両制御モジュール６０は、車両１が充電中であると判断した場合（Ｓ４０３で「ｙｅｓ」の場合）、表示装置６４に、給電できない理由として、充電中である旨を表示させ
る。例えば、表示装置６４に、「充電プラグを抜いてください」と表示させるとよい。かかる表示に基づいて、使用者は、給電を行うために必要な、表示された操作を行うことができる。
【００５５】
続いて、車両制御モジュール６０は、非給電状態を維持する（Ｓ４０７）。充電中の給電を禁止することにより、充電効率の低下防止を図ることができる。
【００５６】
一方、車両１が充電中でない場合（Ｓ４０３で「ｎｏ」の場合）、車両制御モジュール６０は、給電端子であるコンセント２８ｃからの給電を開始する前に、車両用給電システムの漏電の有無を確認する（Ｓ４０４）。
【００５７】
車両制御モジュール６０は、漏電有りと判断した場合（Ｓ４０４で「ｎｏ」の場合）、表示装置６４に、漏電を知らせる警告を表示させる（Ｓ５０１）。さらに、表示装置６４に「販売店にご相談ください」と表示させるとよい。
【００５８】
続いて、車両制御モジュールは、全ての車両システムを停止させる（Ｓ５０２）。なお、給電中に漏電が検出された場合には、先ず、給電システムをシャットダウンさせてから、車両システムをシャットダウンさせる。さらに、感電防止のため、車両システムの再起動が禁止される（Ｓ５０３）。
【００５９】
一方、漏電が無い場合（Ｓ４０４で「ｙｅｓ」の場合）、車両制御モジュール６０は、コントロールボックス２８を制御して、コンセント２８ｃからの給電を開始させる（Ｓ４０５）。車両制御モジュール６０はまた、車両用給電システム以外の車載機器への給電を許可するとよい。これにより、車外機器への給電を行いながら、車内で車載機器を使用することができる。例えば、給電しながら、車内でラジオを聞いたり、エアコンを稼働させたりすることができる。
【００６０】
そして、コントロールボックス２８に設けた操作スイッチ２８ｂがＯＮからＯＦＦに切り替えられた場合（Ｓ４０６で「ｙｅｓ」の場合）、車両制御モジュール６０は、コントロールボックス２８を制御して、コンセント２８ｃからの給電と停止させる（Ｓ４０７）。
【００６１】
また、給電中に、イグニッション６０の設定がＯＦＦからＯＮに切り替えられた場合（Ｓ４０２で「ｎｏ」の場合）には、車両制御モジュール６０は、表示装置６４に、発進できない理由として、給電中である旨を表示させる。例えば、表示装置６４に、「給電システムをＯＦＦにしてください」と表示させる。かかる表示に基づいて、使用者は、発進するために必要な、表示された操作を行うことができる。
【００６２】
そして、車両制御モジュール６０は、コントロールボックス２８の操作スイッチ２８ｂがＯＮからＯＦＦに切り替えられるまで（Ｓ４０６）、給電を維持すると共に、発進を禁止して、走行不能状態を維持する。これにより、給電中の車両の走行開始が防止される。
【００６３】
また、給電中に、充電操作が行われた場合（Ｓ４０３で「ｙｅｓ」の場合）、車両制御モジュール６０は、表示装置に、充電できない理由として、給電中である旨を表示させる。例えば、表示装置６４に、「給電システムをＯＦＦにしてください」と表示させる。かかる表示に基づいて、使用者は、充電を開始するために必要な、表示された操作を行うことができる。
【００６４】
そして、車両制御モジュール６０は、コントロールボックス２８の操作スイッチ２８ｂがＯＮからＯＦＦに切り替えられるまで（Ｓ４０６）、給電を維持すると共に、充電を禁止する。これにより、給電中の充電開始が防止される。
【００６５】
ところで、上述のように、イグニッション６１の設定がＯＮ状態であるときに、即ち、イグニッションをＯＦＦからＯＮに切り替えるような発進要求操作が行われた後に、コントロールボックス２８の操作スイッチ２８ｂをＯＦＦからＯＮに切り替えるような給電要求操作が行われた場合には、走行可能状態である旨を報知する表示、例えば、「ＩＧをＯＦＦにしてください」というメッセージが表示装置６４に表示される。これに対して、コントロールボックス２８の操作スイッチ２８ｂをＯＦＦからＯＮに切り替えるような給電要求操作が行われた後に、イグニッションをＯＦＦからＯＮに切り替えるような発進要求操作が行われた場合には、給電状態である旨を報知する表示、例えば、「給電を停止してください」というメッセージが表示装置６４に表示される。
【００６６】
このように操作の順序に応じて、表示装置６４に異なるメッセージを表示する理由は、使用者が行った最後の操作が、使用者の現在の要求動作と考えられるからである。このため、最後の操作を実現するのに有用な情報が表示装置６４に表示される。
【００６７】
また、上述のように、充電中に、即ち、充電レセプタクル１８に充電コンセントを接続するような充電要求操作が行われた後に、コントロールボックス２８の操作スイッチ２８ｂをＯＦＦからＯＮに切り替えるような給電要求操作が行われた場合には、「充電プラグを抜いてください」というメッセージが表示装置６４に表示される。これに対して、コントロールボックス２８の操作スイッチ２８ｂをＯＦＦからＯＮに切り替えるような給電要求操作が行われた後に、充電レセプタクル１８に充電コンセントを接続するような充電要求操作が行われた場合には、例えば、「給電を停止してください」というメッセージが表示装置６４に表示される。これも、最後の操作を実現するのに有用な情報を表示装置６４に表示さるためである。
【００６８】
なお、運転席でイグニッション６０を操作した運転者は、「給電システムをＯＦＦにしてください」という表示を見て、給電システムをＯＦＦにする操作を行う。図３に示した例では、給電システムの操作スイッチ２８ｂは、荷室に配置されたコントロールボックス２８に設けられている。このため、運転者は、操作スイッチ２８ｂを操作するために、運転席から移動しなければならない。そこで、運転席から操作可能な位置に、例えばインストルメントパネルに、給電システムのＯＮ／ＯＦＦを切り替える操作スイッチを設けることが望ましい。これにより、運転者は、運転席から移動することなく、給電システムのＯＮ／ＯＦＦ操作を行うことができる。例えば、運転者が、荷室の給電用コンセント２８ｃから接続ケーブルのプラグを抜いたものの、給電システムの操作スイッチ２８ｂを切り忘れて、運転席でイグニッション６０を操作した場合に有利である。
【００６９】
また、車両制御モジュール６０は、車両１の全ての開閉部がロックされているときには、給電システムのＯＮ／ＯＦＦを切り替える操作スイッチの操作を無効とするとよい。これにより、全ての開閉部がロックされている車両１のガラスが破られて、勝手に給電操作が行われることを防止できる。
【００７０】
また、車室内に持ち込んだ電気機器に、給電用のプラグから給電する場合には、車両が走行しても危険性は低いと考えられる。このため、車両が走行不能状態でない場合であっても、給電を可能とするスイッチを設けるとよい。かかるスイッチを設ければ、車両が走行していても、車室内に持ち込んだ電気機器に給電することが可能となる。
【００７１】
上述の実施形態においては、本発明を特定の条件で構成した例について説明したが、本発明は種々の変更及び組み合わせを行うことができ、これに限定されるものではない。例えば、上述の実施形態では、電気自動車の例について説明したが、本発明は電気自動車に限定されない。本発明は、ハイブリッド車のような車両にも適用することができる。
【符号の説明】
【００７２】
１  車両
２  モータルーム
４  駆動輪
６  モータユニット
８  モータ用インバータ
１０  ジャンクションボックス
１２  バッテリチャージャ
１４  バッテリ搭載フレーム
１６  バッテリ
１８  充電レセプタクル
２０  充電ケーブル
２２  荷室フロア
２４  凹部
２４ａ  底面
２６  インバータ
２８  コントロールボックス
２８ａ  コントロールボックスケース
２８ｂ  操作スイッチ
２８ｃ  コンセント
３０  電力ケーブル
３２  出力ケーブル
６０  車両制御装置（ＶＣＭ）
６１  イグニション（ＩＧ）
６２  シフトレンジ
６３  絶縁抵抗モニタ
６４  表示装置
【図１】
0005900744.tif 000002
【図２】
0005900744.tif 000003
【図３】
0005900744.tif 000004
【図４】
0005900744.tif 000005